(57)【特許請求の範囲】
【請求項１】
遊技機に設けられ、前記遊技機における遊技に使用される遊技媒体を受けるための遊技媒体トレイであって、
内底面部および前記内底面部から立ち上がる内側面部を有するトレイ本体と、
透明材料からなり、前記内底面部および前記内側面部にそれぞれ外側から対向する外底面部および外側面部を有し、前記内側面部と前記外側面部との間に形成される収容空間と外部とを連通させるスリット状の開口が前記外側面部に沿って形成され、前記開口の周縁部分に前記開口の長手方向に延びる被挟込部が外側に向けて突設されたトレイカバーと、
証紙を保持する板状の証紙保持部および前記証紙保持部の一端部と前記証紙保持部の厚さ方向に間隔を空けて対向する挟込部を有し、前記証紙保持部の他端部側から前記開口に挿入され、前記証紙保持部が前記収容空間に収容された状態で、前記証紙保持部と前記挟込部との間に前記被挟込部を挟み込む証紙プレートとを備える、遊技媒体トレイ。
【請求項２】
前記証紙プレートには、前記証紙保持部に対して前記長手方向の少なくとも一方側に設けられて、前記証紙保持部の前記他端部に接続され、前記一端部側に延び、前記証紙保持部が前記収容空間に収容された状態で、前記収容空間に対する前記証紙保持部の挿入方向と反対側から前記トレイカバーの所定部に係止する係止部が形成されている、請求項１に記載の遊技媒体トレイ。
【請求項３】
前記被挟込部は、前記長手方向に間隔を空けて複数設けられており、
前記挟込部は、各被挟込部に対応して設けられている、請求項１または２に記載の遊技媒体トレイ。
【請求項４】
前記トレイ本体には、前記内側面部と前記外側面部との対向方向に貫通するねじ挿通孔が形成され、
前記トレイカバーには、前記ねじ挿通孔に前記トレイカバー側と反対側から挿通された前記ねじの先端部がねじ込まれるねじ穴が形成されている、請求項１〜３のいずれか一項に記載の遊技媒体トレイ。
【請求項５】
筐体と、
前記筐体の前面を開閉可能に設けられた前扉と、
前記前扉に取り付けられ、前記遊技機における遊技に使用される遊技媒体を受けるための遊技媒体トレイとを含み、
前記遊技媒体トレイは、
内底面部および前記内底面部から立ち上がる内側面部を有するトレイ本体と、
透明材料からなり、前記内底面部および前記内側面部にそれぞれ外側から対向する外底面部および外側面部を有し、前記内側面部と前記外側面部との間に形成される収容空間と外部とを連通させるスリット状の開口が前記外側面部に沿って形成されたトレイカバーと、
証紙を保持する板状の証紙保持部を有し、前記証紙保持部が前記開口を通して前記収容空間に収容される証紙プレートとを備え、
前記トレイ本体には、前記内側面部と前記外側面部との対向方向に貫通するねじ挿通孔が形成され、
前記トレイカバーには、前記ねじ挿通孔に前記前扉の内側から挿通された前記ねじの先端部がねじ込まれるねじ穴が形成され、前記開口の周縁部分に、前記開口の長手方向に延びる被挟込部が外側に向けて突設されており、
前記証紙プレートには、前記証紙保持部の一端部と前記証紙保持部の厚さ方向に間隔を空けて対向する挟込部が形成され、
前記証紙保持部がその他端部側から前記開口を通して前記収容空間に収容された状態で、前記証紙保持部と前記挟込部との間に前記被挟込部が挟み込まれる、遊技機。
【請求項６】
前記証紙プレートには、前記証紙保持部に対して前記長手方向の少なくとも一方側に設けられて、前記証紙保持部の前記他端部に接続され、前記一端部側に延び、前記証紙保持部が前記収容空間に収容された状態で、前記収容空間に対する前記証紙保持部の挿入方向と反対側から前記トレイカバーの所定部に係止する係止部が形成されている、請求項５に記載の遊技機。
【請求項７】
前記被挟込部は、前記長手方向に間隔を空けて複数設けられており、
前記挟込部は、各被挟込部に対応して設けられている、請求項５または６に記載の遊技機。
【発明の詳細な説明】
【技術分野】
【０００１】
本発明は、遊技機および遊技機における遊技に使用される遊技媒体を受けるための遊技媒体トレイに関する。
【背景技術】
【０００２】
スロットマシンなどの遊技機は、第三者の特許権などの実施許諾を受けて製造されていることが多い。その場合、遊技機には、実施許諾を受けていることを証する証紙が貼付される。また、遊技機の製造メーカまたは製造メーカで構成する組合が発行する証紙が貼付される。
【０００３】
証紙は、外部から視認できる位置に、外部から剥がすことができないように設けられる（たとえば、特許文献１参照）。スロットマシンでは、前扉の前面の下部に、メダを受けるためのメダルトレイが設けられている。たとえば、透明な樹脂からなるトレイカバーでメダルトレイの前面を被覆し、そのトレイカバーの内面に証紙を貼付することにより、証紙を外部から視認可能かつ剥離不可能に設けることができる。
【０００４】
証紙には、個々の遊技機に固有の番号が記されている。一方、遊技機の主基板などを収容したケースには、不正を防止するために、封印シールが貼付されている。この封印シールにも、個々の遊技機に固有の番号が記されている。そして、遊技機ごとに、証紙に記された番号と封印シールに記された番号とが紐付けされている。そのため、証紙が貼付された部材と封印シールが貼付された主基板などを収容したケースとは、一緒に取り扱う（保管および運搬する）必要がある。
【先行技術文献】
【特許文献】
【０００５】
【特許文献１】特開２０１２−５９０６号公報
【発明の概要】
【発明が解決しようとする課題】
【０００６】
しかしながら、トレイカバーの内面に証紙が配置される構成では、サイズが比較的大きなトレイカバーを主基板とともに取り扱わなければならず、その取扱いが不便である。
【０００７】
そこで、証紙が貼付されたプレート（証紙プレート）をメダルトレイおよびトレイカバーと別部材として設け、たとえば、メダルトレイに開口を形成し、証紙プレートを開口からメダルトレイとトレイカバーとの間に挿入する構成が考えられる。この構成では、主基板とともに取り扱うべき証紙プレートのサイズが小さいので、それらの取扱いが容易である。
【０００８】
ところが、開口の周縁の剛性が不足していると、開口が変形されて、証紙プレートがメダルトレイとトレイカバーとの間から抜き取られるおそれがある。
【０００９】
本発明の目的は、証紙プレートがトレイ本体とトレイカバーとの間に連通する開口に挿入される構成において、証紙プレートが開口から抜き取られることを防止できる、遊技媒体トレイおよび遊技機を提供することである。
【課題を解決するための手段】
【００１０】
以下、本発明について説明する。なお、発明の理解を容易にするため、添付図面の参照符号等を括弧書きにて付記するが、それにより本発明が表示の形態に限定されるものではない。
【００１１】
前記の目的を達成するため、本発明に係る遊技媒体トレイ（１５）は、遊技機（１）に設けられ、前記遊技機（１）における遊技に使用される遊技媒体を受けるための遊技媒体トレイ（１５）であって、内底面部（６１）および前記内底面部（６１）から立ち上がる内側面部（６２）を有するトレイ本体（２１）と、透明材料からなり、前記内底面部（６１）および前記内側面部（６２）にそれぞれ外側から対向する外底面部（８１）および外側面部（８２）を有し、前記内側面部（６２）と前記外側面部（８２）との間に形成される収容空間（１０５）と外部とを連通させるスリット状の開口（９６）が前記外側面部（８２）に沿って形成され、前記開口（９６）の周縁部分に前記開口（９６）の長手方向に延びる被挟込部（９８，９９）が外側に向けて突設されたトレイカバー（２２）と、証紙（１１６）を保持する板状の証紙保持部（１１１）および前記証紙保持部（１１１）の一端部と前記証紙保持部（１１１）の厚さ方向に間隔を空けて対向する挟込部（１１２，１１３）を有し、前記証紙保持部（１１１）の他端部側から前記開口（９６）に挿入され、前記証紙保持部（１１１）が前記収容空間（１０５）に収容された状態で、前記証紙保持部（１１１）と前記挟込部（１１２，１１３）との間に前記被挟込部（９８，９９）を挟み込む証紙プレート（２３）とを備える。
【００１２】
この構成によれば、トレイ本体（２１）は、内底面部（６１）および内側面部（６２）を有している。内側面部（６２）は、内底面部（６１）から立ち上がっている。内底面部（６１）により、遊技媒体が下方から支持される。内側面部（６２）により、遊技媒体が内底面部（６１）上からこぼれ落ちることが防止される。
【００１３】
トレイカバー（２２）は、透明材料（たとえば、有色透明材料）からなる。トレイカバー（２２）は、トレイ本体（２１）の外側に設けられており、外底面部（８１）および外側面部（８２）を有している。外底面部（８１）は、トレイ本体（２１）の内底面部（６１）に対向している。内側面部（６２）は、トレイ本体（２１）の内側面部（６２）に間隔を空けて対向している。これにより、内側面部（６２）と外側面部（８２）との間には、収容空間（１０５）が形成されている。トレイカバー（２２）には、収容空間（１０５）と外部とを連通させる開口（９６）が形成されている。開口（９６）は、外側面部（８２）に沿って延びるスリット状をなしている。
【００１４】
証紙プレート（２３）は、証紙保持部（１１１）および挟込部（１１２，１１３）を有している。証紙保持部（１１１）には、証紙が保持されている。挟込部（１１２，１１３）は、証紙保持部（１１１）の一端部と証紙保持部（１１１）の厚さ方向に間隔を空けて対向している。証紙プレート（２３）は、証紙保持部（１１１）の他端部側から開口（９６）に挿入され、証紙保持部（１１１）は、トレイ本体（２１）の内側面部（６２）とトレイカバー（２２）の外側面部（８２）との間の収容空間（１０５）に収容される。トレイカバー（２２）が透明材料からなるので、証紙保持部（１１１）が収容空間（１０５）に収容された状態で、証紙保持部（１１１）に保持されている証紙をトレイカバー（２２）の外側から視認することができる。
【００１５】
また、トレイカバー（２２）における開口（９６）の周縁部分には、被挟込部（９８，９９）が外側に向けて突設されている。被挟込部（９８，９９）は、開口（９６）の長手方向に延びている。証紙プレート（２３）の証紙保持部（１１１）が収容空間（１０５）に収容された状態で、証紙プレート（２３）の証紙保持部（１１１）と挟込部（１１２，１１３）との間に被挟込部（９８，９９）が挟み込まれる。これにより、開口（９６）の周縁部分の剛性を高めることができ、その周縁部分の変形を防止することができる。そのため、証紙プレート（２３）が開口（９６）から抜き取られることを防止できる。
【００１６】
よって、証紙プレート（２３）がトレイカバー（２２）の開口（９６）に挿入される前は、小サイズの証紙プレート（２３）をその証紙プレート（２３）に保持されている証紙と紐付けされた封印シールとともに容易に取り扱うことができる。そして、証紙プレート（２３）が開口（９６）に挿入された後は、証紙プレート（２３）が開口（９６）から抜き取られることを防止できる。
【００１７】
トレイ本体（２１）には、内側面部（６２）と外側面部（８２）との対向方向に貫通するねじ挿通孔が形成され、トレイカバー（２２）には、ねじ挿通孔にトレイカバー（２２）側と反対側から挿通されたねじ（１０２）の先端部がねじ込まれるねじ穴（１０１）が形成されていることが好ましい。
【００１８】
この構成では、トレイ本体（２１）のねじ挿通孔にトレイカバー（２２）側と反対側からねじ（１０２）が挿通され、そのねじ（１０２）の先端部がトレイカバー（２２）のねじ穴（１０１）にねじ込まれることにより、トレイカバー（２２）がトレイ本体（２１）に固定される。そのため、トレイカバー（２２）側からは、ねじに接触することが困難である。したがって、トレイカバー（２２）がトレイ本体（２１）に固定されて、トレイ本体（２１）が遊技機（１）の前扉に取り付けられた後は、その前扉を開かないと、トレイカバー（２２）をトレイ本体（２１）から取り外すことが困難である。その結果、トレイカバー（２２）がトレイ本体（２１）から不正に取り外されることを防止できる。
【００１９】
そして、トレイカバー（２２）をトレイ本体（２１）から取り外すことが困難であるので、トレイ本体（２１）側から証紙プレート（２３）に接触することが困難であり、その接触による開口（９６）からの証紙プレート（２３）の抜き取りを防止することができる。
【００２０】
本発明の他の局面に係る遊技機（１）は、筐体と、前記筐体の前面を開閉可能に設けられた前扉と、前記前扉に取り付けられ、前記遊技機（１）における遊技に使用される遊技媒体を受けるための遊技媒体トレイ（１５）とを含む。前記遊技媒体トレイ（１５）は、内底面部（６１）および前記内底面部（６１）から立ち上がる内側面部（６２）を有するトレイ本体（２１）と、透明材料からなり、前記内底面部（６１）および前記内側面部（６２）にそれぞれ外側から対向する外底面部（８１）および外側面部（８２）を有し、前記内側面部（６２）と前記外側面部（８２）との間に形成される収容空間（１０５）と外部とを連通させるスリット状の開口（９６）が前記外側面部（８２）に沿って形成されたトレイカバー（２２）と、証紙を保持する板状の証紙保持部（１１１）を有し、前記証紙保持部（１１１）が前記開口（９６）を通して前記収容空間（１０５）に収容される証紙プレート（２３）とを備える。前記トレイ本体（２１）には、前記内側面部（６２）と前記外側面部（８２）との対向方向に貫通するねじ挿通孔（７０）が形成されている。そして、前記トレイカバー（２２）には、前記ねじ挿通孔（７０）に前記前扉の内側から挿通された前記ねじの先端部がねじ込まれるねじ穴が形成されている。
【００２１】
この構成によれば、トレイ本体（２１）は、内底面部（６１）および内側面部（６２）を有している。内側面部（６２）は、内底面部（６１）から立ち上がっている。内底面部（６１）により、遊技媒体が下方から支持される。内側面部（６２）により、遊技媒体が内底面部（６１）上からこぼれ落ちることが防止される。
【００２２】
トレイカバー（２２）は、透明材料（たとえば、有色透明材料）からなる。トレイカバー（２２）は、トレイ本体（２１）の外側に設けられており、外底面部（８１）および外側面部（８２）を有している。外底面部（８１）は、トレイ本体（２１）の内底面部（６１）に対向している。内側面部（６２）は、トレイ本体（２１）の内側面部（６２）に間隔を空けて対向している。これにより、内側面部（６２）と外側面部（８２）との間には、収容空間（１０５）が形成されている。トレイカバー（２２）には、収容空間（１０５）と外部とを連通させる開口（９６）が形成されている。開口（９６）は、外側面部（８２）に沿って延びるスリット状をなしている。
【００２３】
証紙プレート（２３）は、証紙保持部（１１１）を有している。証紙保持部（１１１）には、証紙が保持されている。挟込部（１１２，１１３）は、証紙保持部（１１１）の一端部と証紙保持部（１１１）の厚さ方向に間隔を空けて対向している。証紙プレート（２３）は、証紙保持部（１１１）の他端部側から開口（９６）に挿入され、証紙保持部（１１１）は、トレイ本体（２１）の内側面部（６２）とトレイカバー（２２）の外側面部（８２）との間の収容空間（１０５）に収容される。トレイカバー（２２）が透明材料からなるので、証紙保持部（１１１）が収容空間（１０５）に収容された状態で、証紙保持部（１１１）に保持されている証紙をトレイカバー（２２）の外側から視認することができる。
【００２４】
そして、トレイ本体（２１）には、内側面部（６２）と外側面部（８２）との対向方向に貫通するねじ挿通孔（７０）が形成されている。一方、トレイカバー（２２）には、ねじ挿通孔（７０）にトレイカバー（２２）側と反対側から挿通されたねじ（１０２）の先端部がねじ込まれるねじ穴（１０１）が形成されている。
【００２５】
トレイ本体（２１）のねじ挿通孔（７０）にトレイカバー（２２）側と反対側からねじが挿通され、そのねじの先端部がトレイカバー（２２）のねじ穴にねじ込まれることにより、トレイカバー（２２）がトレイ本体（２１）に固定される。そのため、トレイカバー（２２）側からは、ねじに接触することが困難である。したがって、トレイカバー（２２）がトレイ本体（２１）に固定されて、トレイ本体（２１）が遊技機（１）の前扉に取り付けられた後は、その前扉を開かないと、トレイカバー（２２）をトレイ本体（２１）から取り外すことが困難である。その結果、トレイカバー（２２）がトレイ本体（２１）から不正に取り外されることを防止できる。
【００２６】
そして、トレイカバー（２２）をトレイ本体（２１）から取り外すことが困難であるので、トレイ本体（２１）側から証紙プレート（２３）に接触することが困難であり、その接触による開口（９６）からの証紙プレート（２３）の抜き取りを防止することができる。
【００２７】
トレイカバー（２２）には、開口（９６）の周縁部分に、開口（９６）の長手方向に延びる被挟込部（９８，９９）が外側に向けて突設されており、証紙プレート（２３）には、証紙保持部（１１１）の一端部と証紙保持部（１１１）の厚さ方向に間隔を空けて対向する挟込部（１１２，１１３）が形成され、証紙保持部（１１１）がその他端部側から前記開口（９６）を通して前記収容空間（１０５）に収容された状態で、証紙保持部（１１１）と挟込部（１１２，１１３）との間に被挟込部（９８，９９）が挟み込まれることが好ましい。
【００２８】
この構成によれば、証紙プレート（２３）の証紙保持部（１１１）が収容空間（１０５）に収容された状態で、証紙プレート（２３）の証紙保持部（１１１）と挟込部（１１２，１１３）との間に被挟込部（９８，９９）が挟み込まれる。これにより、開口（９６）の周縁部分の剛性を高めることができ、その周縁部分の変形を防止することができる。そのため、証紙プレート（２３）が開口（９６）から抜き取られることを防止できる。
【００２９】
よって、証紙プレート（２３）がトレイカバー（２２）の開口（９６）に挿入される前は、小サイズの証紙プレート（２３）をその証紙プレート（２３）に保持されている証紙と紐付けされた封印シールとともに容易に取り扱うことができる。そして、証紙プレート（２３）が開口（９６）に挿入された後は、証紙プレート（２３）が開口（９６）から抜き取られることを防止できる。
【００３０】
証紙プレート（２３）には、証紙保持部（１１１）に対して長手方向の少なくとも一方側に設けられて、証紙保持部（１１１）の他端部に接続され、証紙保持部（１１１）の一端部側に延びる係止部（１１４）が形成されていることが好ましい。証紙保持部（１１１）が前記収容空間（１０５）に収容された状態で、係止部（１１４）は、収容空間（１０５）に対する証紙保持部（１１１）の挿入方向と反対側からトレイカバー（２２）の所定部（９５）に係止する。
【００３１】
この構成によれば、証紙プレート（２３）が開口（９６）に挿入方向に挿入されて、証紙保持部（１１１）が収容空間（１０５）に収容されると、係止部（１１４）がトレイカバー（２２）の所定部（９５）に挿入方向と反対側から係止する。そのため、証紙プレート（２３）が開口（９６）に挿入された後、その証紙プレート（２３）が開口（９６）から抜き取られることを一層防止することができる。
【００３２】
被挟込部（９８，９９）は、長手方向に間隔を空けて複数設けられており、挟込部（１１２，１１３）は、各被挟込部（９８，９９）に対応して設けられていることが好ましい。
【００３３】
この構成によれば、開口（９６）の周縁部分の剛性を開口（９６）の長手方向の複数の位置で高めることができる。そのため、開口（９６）の周縁部分の変形を一層防止することができる。その結果、証紙プレート（２３）が開口（９６）から抜き取られることを良好に防止できる。
【発明の効果】
【００３４】
本発明によれば、証紙プレートがトレイカバーの開口に挿入される前は、小サイズの証紙プレートをその証紙プレートに保持されている証紙と紐付けされた封印シールとともに容易に取り扱うことができる。そして、証紙プレートが開口に挿入された後は、証紙プレートが開口から抜き取られることを防止できる。
【図面の簡単な説明】
【００３５】
【図１】図１は、本発明の一実施形態に係るスロットマシンの斜視図である。
【図２】図２は、メダルトレイの分解斜視図である。
【図３】図３は、メダルトレイの正面図である。
【図４】図４は、図３に示される切断面線IV−IVにおけるメダルトレイの断面図である。
【図５】図５は、図３に示される切断面線Ｖ−Ｖにおけるメダルトレイの断面図である。
【図６】図６は、図３に示される切断面線VI−VIにおけるメダルトレイの断面図である。
【図７】図７は、メダルトレイの背面図である。
【図８】図８は、図７に示される切断面線VIII−VIIIにおけるメダルトレイの断面図である。
【図９】図９は、メダルトレイの右側面図である。
【図１０】図１０は、図９に示される切断面線Ｘ−Ｘにおけるメダルトレイの断面図である。
【図１１】図１１は、トレイカバーの左後上方から見た斜視図である。
【図１２】図１２は、メダルトレイの斜視図であり、証紙プレートがトレイ本体およびトレイカバーから離脱した状態を示す。
【図１３】図１３は、証紙プレートの左後上方から見た斜視図である。
【図１４】図１４は、前扉の背面図（内面を示す図）である。
【図１５】図１５は、図１４に示される切断面線XV−XVにおける前扉およびメダルトレイの断面図である。
【図１６】図１６は、図１４に示される切断面線XVI−XVIにおける前扉およびメダルトレイの断面図である。
【発明を実施するための形態】
【００３６】
以下では、本発明の実施の形態について、添付図面を参照しつつ詳細に説明する。
【００３７】
＜スロットマシンの全体構成＞
【００３８】
図１は、本発明の一実施形態に係るスロットマシンの斜視図である。
【００３９】
スロットマシン１は、前面が開放された箱型の本体２と、本体２の前面を開閉可能に設けられた前扉３とを備えている。
【００４０】
本体２内には、上下方向の中央部より少し上方の位置に、３個のリール４Ｌ，４Ｃ，４Ｒが左右に並べて配置されている。各リール４Ｌ，４Ｃ，４Ｒは、ドラム状のリール枠の周面にリール帯を巻着した構成を有しており、リール枠の中心で左右方向に延びる軸を中心に回転可能に設けられている。リール帯には、たとえば、２１個の図柄が周方向に並べて配置されている。
【００４１】
前扉３は、表示部５、操作部６および演出表示部７を備えている。
【００４２】
表示部５は、リール４Ｌ，４Ｃ，４Ｒと対向する位置に設けられている。表示部５の中央部には、リール４Ｌ，４Ｃ，４Ｒの周面の一部を視認可能にするためのリール窓８が設けられている。リール４Ｌ，４Ｃ，４Ｒの回転中は、リール窓８内に、各リール４Ｌ，４Ｃ，４Ｒの図柄が次々に現れる（図柄の変動表示）。リール４Ｌ，４Ｃ，４Ｒが停止すると、リール窓８内に、各リール４Ｌ，４Ｃ，４Ｒの３個の図柄が表示される（図柄の停止表示）。
【００４３】
操作部６は、リール窓８の下方から前側に突出し、前扉３のほぼ全幅にわたって設けられた上面９と、上面９の前端縁に連続し、前扉３のほぼ全幅にわたって上下方向に延びる前面１０とを有している。
【００４４】
上面９は、前側に少し下り傾斜している。上面９の右端部には、メダル投入口１１が設けられている。また、上面９の左側に片寄った位置には、ＭＡＸベットボタン１２が設けられている。
【００４５】
メダル投入口１１からメダルが投入されると、その投入されたメダルがゲームにベットされる。１ゲームに対して、最大で３枚のメダルをベットすることができる。１ゲームにベットされたメダルの枚数（ベット数）に応じた本数の入賞ラインが有効化される。３枚のメダルがゲームにベットされている状態で、メダル投入口１１からメダルが投入された場合には、その投入されたメダルは、５０枚を上限として、スロットマシン１にクレジットされる。
【００４６】
また、３枚以上のメダルがスロットマシン１にクレジットされている状態で、ＭＡＸベットボタン１２が押操作されると、そのクレジットされているメダルから３枚のメダルがゲームにベットされ、スロットマシン１にクレジットされているメダル枚数（クレジット数）が３だけ減算される。
【００４７】
前面１０の左端部には、スタートレバー１３が設けられている。また、前面１０の中央部には、左ストップボタン１４Ｌ、中ストップボタン１４Ｃおよび右ストップボタン１４Ｒが左右に等間隔を空けて設けられている。
【００４８】
１枚以上のメダルがベットされた後、スタートレバー１３が操作されると、リール４Ｌ，４Ｃ，４Ｒが一斉に回転し始める。その後、左ストップボタン１４Ｌ、中ストップボタン１４Ｃおよび右ストップボタン１４Ｒが操作されると、それぞれリール４Ｌ，４Ｃ，４Ｒの回転が停止する。すべてのリール４Ｌ，４Ｃ，４Ｒが停止すると、１ゲームが終了である。
【００４９】
すべてのリール４Ｌ，４Ｃ，４Ｒが停止した時点で有効化されている入賞ライン上にいずれかの役に対応した図柄の組合せが並べば、その役の入賞となる。役によっては、所定枚数のメダルが払い出される。入賞に対して払い出されるメダルは、スロットマシン１にクレジットされるか、または、前扉３の最下部に設けられたメダルトレイ１５に排出される。
【００５０】
演出表示部７には、ゲームの進行に合わせた演出画像などを表示するための液晶表示器１６が設けられている。また、演出表示部７には、液晶表示器１６の左方および右方に、ゲーム中の雰囲気を盛り上げるための効果音などを出力するスピーカ１７が配置されている。
【００５１】
また、前扉３には、操作部６の下方に、スロットマシン１の機種名などを表示する表示パネル１８が装着されている。
【００５２】
さらに、メダルトレイ１５と表示パネル１８との間には、スピーカ１７とともに効果音などを出力するスピーカ１９が配置されている。
【００５３】
＜メダルトレイ＞
【００５４】
図２は、メダルトレイの分解斜視図である。図３は、メダルトレイの正面図である。図４は、図３に示される切断面線IV−IVにおけるメダルトレイの断面図である。図５は、図３に示される切断面線Ｖ−Ｖにおけるメダルトレイの断面図である。図６は、図３に示される切断面線VI−VIにおけるメダルトレイの断面図である。
【００５５】
メダルトレイ１５は、図２に示されるように、トレイ本体２１、トレイカバー２２および証紙プレート２３を備えている。
【００５６】
＜トレイ本体＞
【００５７】
図７は、メダルトレイの背面図である。図８は、図７に示される切断面線VIII−VIIIにおけるメダルトレイの断面図である。図９は、メダルトレイの右側面図である。図１０は、図９に示される切断面線Ｘ−Ｘにおけるメダルトレイの断面図である。
【００５８】
トレイ本体２１は、不透明な樹脂からなる。トレイ本体２１は、図２に示されるように、左側板部３１、右側板部３２、メダル受部３３および灰皿保持部３４を一体的に備えている。
【００５９】
左側板部３１は、左右方向を厚さ方向として、トレイ本体２１の左端部に設けられている。左側板部３１は、前後方向に延びる側面視略矩形状の矩形部４１と、矩形部４１の後上端部から上方に延びる側面視略三角形状の三角形部４２とを一体的に有し、後方に開放される中空の板状に形成されている。具体的には、左側板部３１は、図２および図７に示されるように、外側面４３、内側面４４、第１前面４５、上面４６、第２前面４７および下面４８を有している。外側面４３は、図７に示されるように、略矩形状の下部４３Ｂおよび上方に先細りとなる略三角形状の上部４３Ｕからなる。内側面４４は、外側面４３の右側に間隔を空けて設けられ、側面視で外側面４３の上部４３Ｕと略同一形状に形成されている。第１前面４５は、図２に示されるように、外側面４３の上部４３Ｕの前端縁と内側面４４の前端縁との間に架設されている。上面４６は、第１前面４５の下端に連続し、外側面４３の下部４３Ｂの上端縁に沿って延びている。第２前面４７は、上面４６の前端に連続し、外側面４３の下部４３Ｂの前端縁に沿って延びている。下面４８は、図７に示されるように、第２前面４７の下端に連続し、外側面４３の下端縁に沿って延びている。
【００６０】
左側板部３１の内部には、２個のねじ穴部４９が互いに上下方向に間隔を空けて設けられている。各ねじ穴部４９は、前後方向に延びる円筒状をなし、後方に開放されている。
【００６１】
右側板部３２は、図２および図７に示されるように、左右方向を厚さ方向として、トレイ本体２１の右端部に設けられている。右側板部３２は、前後方向に延びる側面視略矩形状の矩形部５１と、矩形部５１の後上端部から上方に延びる側面視略三角形状の三角形部５２とを一体的に有し、後方に開放される中空の板状に形成されている。具体的には、右側板部３２は、外側面５３、内側面５４、第１前面５５、上面５６、第２前面５７および下面５８を有している。外側面５３は、略矩形状の下部５３Ｂおよび上方に先細りとなる略三角形状の上部５３Ｕからなる。内側面５４は、外側面５３の左側に間隔を空けて設けられ、側面視で外側面５３と略同一形状に形成されている。第１前面５５は、図２に示されるように、外側面５３の上部５３Ｕの前端縁と内側面５４の前端縁との間に架設されている。上面５６は、第１前面５５の下端に連続し、外側面５３の下部５３Ｂの上端縁と内側面５４の上端縁との間に架設されている。第２前面５７は、上面５６の前端に連続し、外側面５３の下部５３Ｂの前端縁と内側面５４の前端縁との間に架設されている。下面５８は、図７に示されるように、第２前面５７の下端に連続し、外側面５３の下端縁と内側面５４の下端縁との間に架設されている。
【００６２】
右側板部３２の内部には、２個のねじ穴部５９が互いに上下方向に間隔を空けて設けられている。各ねじ穴部５９は、前後方向に延びる円筒状をなし、後方に開放されている。
【００６３】
メダル受部３３は、底面部６１、前側面部６２、鍔部６３、対向部６４および後壁部６５を一体的に有している。底面部６１は、右側板部３２の内側面５４の下端寄りの位置から左方に延びる平面視略矩形状の板状に形成されている。前側面部６２は、底面部６１の前端縁の全幅から上方に立ち上がる正面視略矩形状の板状に形成されている。鍔部６３は、前側面部６２の上端縁の全幅から前方に突出する平面視略矩形状の板状に形成されている。鍔部６３の上面６６は、右側板部３２の上面５６と連続している。鍔部６３の前面６７は、右側板部３２の第２前面５７と連続している。対向部６４は、底面部６１の後端部の下方に間隔を空けて設けられている。対向部６４は、底面部６１と平行をなして、右側板部３２の内側面５４の後下端部から右方に底面部６１と同じ長さに延びる平面視略矩形状の板状に形成されている。対向部６４の下面６８は、右側板部３２の下面５８と連続している。後壁部６５は、底面部６１と対向部６４の前端縁との間に架設され、右側板部３２の内側面５４から右方に底面部６１および対向部６４と同じ長さに延びる正面視略矩形状の板状に形成されている。
【００６４】
後壁部６５には、左右方向に間隔を空けた３つの各位置に、ねじ穴部６９が後側に向けて突設されている。各ねじ穴部６９は、円筒状をなし、後方に開放されている。
【００６５】
また、後壁部６５には、左側のねじ穴部６９の左方に間隔を空けた位置および右側のねじ穴部６９の右方に間隔を空けた位置に、図８に示されるように、ねじ挿通孔７０が後壁部６５を貫通して形成されている。
【００６６】
灰皿保持部３４は、図２および図７に示されるように、側面部７１、上面部７２、灰皿収容部７３および底延出部７４を一体的に有している。側面部７１は、図２に示されるように、メダル受部３３の底面部６１の左端縁から上方に立ち上がる側面視略矩形状の板状に形成されている。上面部７２は、左側板部３１の矩形部４１と側面部７１の上端縁との間に架設されており、正面視で前方に開放される略コ字状に形成されている。上面部７２の上面７５は、左側板部３１の上面４６およびメダル受部３３の鍔部６３の上面６６と連続している。灰皿収容部７３は、上方および前方に開放される容器状に形成され、図７に示されるように、その上端が上面部７２に接続されている。灰皿収容部７３の前面７６は、左側板部３１の第２前面４７および鍔部６３の前面６７に連続している。底延出部７４は、灰皿収容部７３の下前端縁から後方に延びる平面視略矩形状の板状に形成されている。底延出部７４の下面７７は、左側板部３１の下面４８および灰皿収容部７３の下面７８と連続している。
【００６７】
灰皿収容部７３内には、図２に示されるように、灰皿７９が設けられている。灰皿７９は、トレイ本体２１と異なる樹脂材料、たとえば、熱硬化性樹脂からなり、上方が開放された略直方体の容器状に形成されている。灰皿７９の前上端部には、左方および右方にそれぞれ突出する回動軸（図示せず）が設けられている。各回動軸が灰皿収容部７３に回転可能に挿通されることにより、灰皿７９は、回動軸を支点に回動可能に設けられている。
【００６８】
灰皿収容部７３と底延出部７４との間には、図７に示されるように、ねじ穴部８０が設けられている。ねじ穴部８０は、前後方向に延びる円筒状をなし、後方に開放されている。
【００６９】
＜トレイカバー＞
【００７０】
図１１は、トレイカバーの左後上方から見た斜視図である。図１２は、メダルトレイの斜視図であり、証紙プレートがトレイ本体およびトレイカバーから離脱した状態を示す。
【００７１】
トレイカバー２２は、透明な樹脂、たとえば、グレースモーク色に着色された透明樹脂からなる。トレイカバー２２は、図２に示されるように、トレイ本体２１のメダル受部３３を前側および下側から覆うように、トレイ本体２１に取り付けられる。トレイカバー２２は、図１１および図１２に示されるように、底面部８１および前側面部８２を一体的に備えている。
【００７２】
底面部８１は、平面視略矩形状の板状に形成されている。底面部８１の左右方向の幅は、メダル受部３３の左右方向の幅とほぼ同じである。
【００７３】
前側面部８２は、図１１に示されるように、底面部８１の前端縁の全幅から上方に立ち上がる正面視略矩形状の板状に形成されている。
【００７４】
トレイカバー２２には、図１１および図１２に示されるように、開口部９１が形成されている。開口部９１は、底面部８１を底面視矩形状に切り欠き、前側面部８２を正面視矩形状に切り欠くように、底面部８１および前側面部８２に跨がって形成されている。開口部９１の左端は、トレイカバー２２の左端部に位置している。開口部９１の右端は、トレイカバー２２の左右方向の中央よりも右側に位置している。
【００７５】
開口部９１内には、図５および図１１に示されるように、延出壁部９２が形成されている。延出壁部９２は、開口部９１の後端縁から前方に延びる前方延出部９３と、前方延出部９３の前端縁から上方に延びる上方延出部９４とを一体的に有している。上方延出部９４は、前側面部８２に対して後方から間隔を空けて対向している。また、上方延出部９４の左端部および右端部と前側面部８２との各間には、図１１に示されるように、被係止部９５が架設されている。これにより、トレイカバー２２には、前側面部８２、上方延出部９４および２つの被係止部９５に囲まれて、前側面部８２に沿って左右方向に細長く延びるスリット状の開口９６が形成されている。
【００７６】
延出壁部９２の左端部、中央部および右端部には、図１２に示されるように、切欠９７が形成されている。切欠９７は、前方延出部９３を底面視矩形状に切除し、その切除した部分に連続して、上方延出部９４を正面視矩形状に切り欠いた形状に形成されている。そして、延出壁部９２には、図４、図６および図１１に示されるように、左右方向に延びる板状の後被挟込部９８が各切欠９７の上端面から下方に突出して設けられている。
【００７７】
また、前側面部８２には、図１２に示されるように、開口部９１に臨む端面に、３個の前被挟込部９９が下方に突出して形成されている。各前被挟込部９９は、左右方向に延びる板状をなしている。互いに隣り合う前被挟込部９９の間には、上下方向に長い矩形状の隙間１００が形成されている。
【００７８】
また、トレイカバー２２には、図２、図８および図１１に示されるように、底面部８１の後端部上に、２個のねじ穴部１０１が設けられている。ねじ穴部１０１は、前後方向に延びる円筒状をなし、後方に開放されている。２個のねじ穴部１０１は、互いに左右方向に間隔を空けて、トレイカバー２２がトレイ本体２１に取り付けられた状態で、それぞれトレイ本体２１のねじ挿通孔７０（図８参照）と前後方向に対向する位置に配置されている。
【００７９】
＜トレイカバーの取付＞
【００８０】
トレイカバー２２は、図２に示されるように、底面部８１および前側面部８２がそれぞれトレイ本体２１のメダル受部３３の底面部６１および前側面部６２と対向するように、トレイ本体２１に対して配置される。そして、２本のねじ１０２がトレイ本体２１の後方からトレイ本体２１のねじ挿通孔７０に挿通され、図８に示されるように、その各ねじ１０２の先端部がトレイカバー２２のねじ穴部１０１にねじ込まれる。これにより、トレイカバー２２がトレイ本体２１に対して固定され、トレイ本体２１へのトレイカバー２２の取付が達成される。
【００８１】
トレイカバー２２がトレイ本体２１に取り付けられた状態で、トレイカバー２２の底面部８１は、図４、図５、図６および図８に示されるように、トレイ本体２１のメダル受部３３の底面部６１に対して下側から間隔を空けて対向する。そして、底面部８１の下面１０３は、図１２に示されるように、トレイ本体２１の右側板部３２の下面５８、メダル受部３３の対向部６４の下面６８および灰皿収容部７３の下面７８と面一をなす。
【００８２】
また、トレイカバー２２がトレイ本体２１に取り付けられた状態で、トレイカバー２２の前側面部８２は、図４、図５、図６および図８に示されるように、トレイ本体２１のメダル受部３３の前側面部６２に対して前側から間隔を空けて対向する。また、この状態で、前側面部８２の前面１０４は、図１２に示されるように、トレイ本体２１の右側板部３２の第２前面５７および灰皿収容部７３の前面７６と面一をなす。そして、図４、図５および図６に示されるように、トレイ本体２１の前側面部６２とトレイカバー２２の前側面部８２との間には、左右方向に延びる収容空間１０５が形成される。収容空間１０５は、トレイカバー２２の開口９６を介して外部と連通する。
【００８３】
＜証紙プレート＞
【００８４】
図１３は、証紙プレートの左後上方から見た斜視図である。
【００８５】
証紙プレート２３は、透明な樹脂からなる。証紙プレート２３は、証紙保持部１１１、後挟込部１１２、前挟込部１１３および係止部１１４を一体的に備えている。
【００８６】
証紙保持部１１１は、略矩形板状に形成されている。証紙保持部１１１の一方面１１５には、証紙１１６が貼付されている。証紙１１６の印字面上には、接着剤層が形成されている。証紙１１６は、印字面を証紙保持部１１１の一方面側に向けて配置され、接着剤層が証紙保持部１１１の一方面に接合されることにより、その一方面に貼付されている。
【００８７】
なお、証紙は、特許権などの実施許諾を受けていることを証する証紙および公的機関による試験の適合を証する証紙のほか、スロットマシン１の個別情報（機種情報や製造情報）を符号や数字で記した識別ラベルなどであってもよい。そして、証紙は、スロットマシン１ごとに、主基板などを収容したケースに貼付された封印シール（図示せず）と紐付けされている。
【００８８】
証紙保持部１１１の長手方向に沿った一端部（長手方向と直交する方向の一端部）には、図２および図１３に示されるように、突出部１１７，１１８が長手方向の全幅にわたって形成されている。突出部１１７，１１８は、それぞれ証紙保持部１１１の一方面１１５およびその反対側の他方面１１９に対して直交する方向に突出し、証紙保持部１１１の長手方向に細長く延びる矩形板状をなしている。
【００８９】
後挟込部１１２は、図１３に示されるように、突出部１１７の左端部、中央部および右端部にそれぞれ設けられている。各後挟込部１１２は、突出部１１７の先端縁から立ち上がり、証紙保持部１１１の一端部と平行をなして対向している。
【００９０】
前挟込部１１３は、図２に示されるように、突出部１１８の先端縁の全幅にわたって設けられ、その先端縁から立ち上がり、証紙保持部１１１の一端部と平行をなして対向している。証紙保持部１１１と前挟込部１１３との間には、２個の分離壁１２０が互いに間隔を空けて設けられている。各分離壁１２０の幅は、トレイカバー２２の前被挟込部９９の間の隙間１００の幅よりもわずかに小さい。
【００９１】
係止部１１４は、図１３に示されるように、証紙保持部１１１の長手方向の両側に設けられている。各係止部１１４は、証紙保持部１１１の他端部の長手方向の側面１２１に接続され、その側面１２１との間隔が徐々に広がるように、証紙保持部１１１の一端部側に延びている。各係止部１１４は、先端部が側面１２１に近づくように弾性変形させることができる。
【００９２】
＜証紙プレートの取付＞
【００９３】
証紙プレート２３は、図１２に示されるように、トレイカバー２２の開口９６を介して、トレイ本体２１の前側面部６２とトレイカバー２２の前側面部８２との間の収容空間１０５に差し込まれる。具体的には、証紙プレート２３は、証紙保持部１１１の一方面１１５がトレイ本体２１側に向けられ、他方面１１９がトレイカバー２２側に向けられて、証紙保持部１１１の他端部側から開口９６に挿入される。このとき、証紙プレート２３の各係止部１１４の外側面がトレイカバー２２の被係止部９５に摺擦し、各係止部１１４は、その先端部が証紙保持部１１１の側面１２１に近づくように弾性変形する。
【００９４】
そして、図４および図６に示されるように、証紙保持部１１１が収容空間１０５に収容され、各係止部１１４の外側面が被係止部９５から離れ、証紙プレート２３の後挟込部１１２および前挟込部１１３がそれぞれトレイカバー２２の延出壁部９２および前側面部８２に当接すると、開口９６への証紙プレート２３のそれ以上の挿入が阻止される。これにより、トレイ本体２１およびトレイカバー２２への証紙プレート２３の取付が達成される。
【００９５】
この状態で、図４および図６に示されるように、証紙プレート２３の証紙保持部１１１と後挟込部１１２との間に、トレイカバー２２の後被挟込部９８が挟み込まれている。また、証紙保持部１１１と前挟込部１１３との間に、トレイカバー２２の前被挟込部９９が挟み込まれている。さらに、各係止部１１４の外側面が被係止部９５から離れることにより、各係止部１１４が元の形状に戻り、図１０に示されるように、各係止部１１４の先端が被係止部９５に開口９６に対する証紙プレート２３の挿入方向と反対側から当接している。また、図示されないが、証紙プレート２３の各分離壁１２０がトレイカバー２２の前被挟込部９９の間の隙間１００に入り込む。
【００９６】
＜メダルトレイの取付＞
【００９７】
図１４は、前扉の背面図（内面を示す図）である。図１５は、図１４に示される切断面線XV−XVにおける前扉およびメダルトレイの断面図である。図１６は、図１４に示される切断面線XVI−XVIにおける前扉およびメダルトレイの断面図である。
【００９８】
メダルトレイ１５は、前扉３の下端部の前側に、トレイ本体２１を前扉３側に向けて配置される。そして、図１６に示されるように、トレイ本体２１が前扉３の下端部に当接される。その後、前扉３に形成されたねじ挿通孔（図示せず）にねじ１３１が挿通されて、各ねじ１３１の先端部がトレイ本体２１のねじ穴部４９，５９，６９，８０にねじ込まれる。これにより、メダルトレイ１５が前扉３に固定され、前扉３へのメダルトレイ１５の取付が達成される。
【００９９】
前扉３の下端部には、図１５に示されるように、メダルトレイ１５が前扉３に取り付けられた状態で、トレイ本体２１とトレイカバー２２とを固定するねじ１０２と対向する位置に、貫通孔１３２が形成されている。これにより、ドライバ（図示せず）を前扉３の内側から貫通孔１３２に挿入して、ドライバでねじ１０２を回すことができる。したがって、トレイ本体２１を前扉３から取り外すことなく、トレイカバー２２をトレイ本体２１に着脱することができる。
【０１００】
メダルトレイ１５が前扉３に取り付けられ、証紙プレート２３がトレイ本体２１およびトレイカバー２２に取り付けられた後は、トレイカバー２２をトレイ本体２１から取り外すことにより、証紙プレート２３をトレイカバー２２から取り外すことができる。すなわち、トレイカバー２２がトレイ本体２１から取り外された直後の状態では、証紙プレート２３は、トレイカバー２２の開口９６に挿通されて、各係止部１１４が被係止部９５に係止したままの状態で、トレイカバー２２に保持されている。そして、証紙プレート２３の各係止部１１４の先端を証紙保持部１１１側に押して、被係止部９５への各係止部１１４の係止を解除しながら、証紙プレート２３を開口９６から離脱する方向に押することにより、証紙プレート２３を開口９６から抜き取ることができる。
【０１０１】
よって、証紙プレート２３は、トレイ本体２１を前扉３から取り外さなくても、開口９６から抜き取ることができる。
【０１０２】
＜作用効果＞
【０１０３】
以上のように、トレイ本体２１は、底面部６１および前側面部６２を有している。前側面部６２は、底面部６１から立ち上がっている。底面部６１により、メダルが下方から支持される。前側面部６２により、メダルが底面部６１上からこぼれ落ちることが防止される。
【０１０４】
トレイカバー２２は、透明材料からなる。トレイカバー２２は、トレイ本体２１の外側に設けられており、底面部８１および前側面部８２を有している。底面部８１は、トレイ本体２１の底面部６１に対向している。前側面部６２は、トレイ本体２１の前側面部６２に間隔を空けて対向している。これにより、前側面部６２と前側面部８２との間には、収容空間１０５が形成されている。トレイカバー２２には、収容空間１０５と外部とを連通させる開口９６が形成されている。開口９６は、前側面部８２に沿って延びるスリット状をなしている。
【０１０５】
証紙プレート２３は、証紙保持部１１１、後挟込部１１２および前挟込部１１３を有している。証紙保持部１１１には、証紙が保持されている。後挟込部１１２および前挟込部１１３は、証紙保持部１１１の一端部と証紙保持部１１１の厚さ方向に間隔を空けて対向している。証紙プレート２３は、証紙保持部１１１の他端部側から開口９６に挿入され、証紙保持部１１１は、トレイ本体２１の前側面部６２とトレイカバー２２の前側面部８２との間の収容空間１０５に収容される。トレイカバー２２が透明材料からなるので、証紙保持部１１１が収容空間１０５に収容された状態で、証紙保持部１１１に保持されている証紙をトレイカバー２２の外側から視認することができる。
【０１０６】
また、トレイカバー２２における開口９６の周縁部分には、後被挟込部９８および前被挟込部９９が外側に向けて突設されている。後被挟込部９８および前被挟込部９９は、開口９６の長手方向に延びている。証紙プレート２３の証紙保持部１１１が収容空間１０５に収容された状態で、証紙プレート２３の証紙保持部１１１と後挟込部１１２との間および証紙保持部１１１と前挟込部１１３との間に、それぞれ後被挟込部９８および前被挟込部９９が挟み込まれる。これにより、開口９６の周縁部分の剛性を高めることができ、その周縁部分の変形を防止することができる。そのため、証紙プレート２３が開口９６から抜き取られることを防止できる。
【０１０７】
よって、証紙プレート２３がトレイカバー２２の開口９６に挿入される前は、小サイズの証紙プレート２３をその証紙プレート２３と紐付けされた封印シールとともに容易に取り扱うことができる。そして、証紙プレート２３が開口９６に挿入された後は、証紙プレート２３が開口９６から抜き取られることを防止できる。
【０１０８】
また、後被挟込部９８および前被挟込部９９がそれぞれ複数（この実施形態では、３個）設けられ、これに対応して、後挟込部１１２および前挟込部１１３がそれぞれ複数設けられている。
【０１０９】
これにより、開口９６の周縁部分の剛性を開口９６の長手方向の複数の位置で高めることができる。そのため、開口９６の周縁部分の変形を一層防止することができる。その結果、証紙プレート２３が開口９６から抜き取られることを良好に防止できる。
【０１１０】
また、トレイ本体２１のねじ挿通孔７０にトレイカバー２２側と反対側からねじ１０２が挿通され、そのねじ１０２の先端部がトレイカバー２２のねじ穴部１０１にねじ込まれることにより、トレイカバー２２がトレイ本体２１に固定される。そのため、トレイカバー２２側からは、ねじ１０２に接触することはできない。したがって、トレイカバー２２がトレイ本体２１に固定されて、トレイ本体２１がスロットマシン１の前扉３に取り付けられた後は、その前扉３を開かないと、トレイカバー２２をトレイ本体２１から取り外すことができない。その結果、トレイカバー２２がトレイ本体２１から不正に取り外されることを防止できる。
【０１１１】
そして、スロットマシン１の正面側からは、トレイカバー２２をトレイ本体２１から取り外すことができないので、トレイ本体２１側から証紙プレート２３に接触することができず、その接触による開口９６からの証紙プレート２３の抜き取りを防止することができる。
【０１１２】
また、証紙プレート２３には、証紙保持部１１１に対して長手方向の両側に、係止部１１４が形成されている。証紙保持部１１１が収容空間１０５に収容された状態で、係止部１１４は、収容空間１０５に対する証紙保持部１１１の挿入方向と反対側からトレイカバー２２の被係止部９５に係止する。
【０１１３】
これにより、証紙プレート２３が開口９６に挿入された後、その証紙プレート２３が開口９６から抜き取られることを一層防止することができる。
【０１１４】
＜変形例＞
【０１１５】
以上、本発明の一実施形態について説明したが、本発明は、他の形態で実施することもできる。
【０１１６】
たとえば、スロットマシン１に限らず、遊技媒体を使用した遊技を行うことができるものであれば、パチンコ機などの他の遊技機に適用することもできる。
【０１１７】
その他、前述の構成には、特許請求の範囲に記載された事項の範囲で種々の設計変更を施すことが可能である。
【符号の説明】
【０１１８】
１      スロットマシン（遊技機）
２      本体（筐体）
３      前扉
１５    メダルトレイ（遊技媒体トレイ）
２１    トレイ本体
２２    トレイカバー
２３    証紙プレート
６１    底面部（内底面部）
６２    前側面部（内側面部）
７０    ねじ挿通孔
８１    底面部（外底面部）
８２    前側面部（外側面部）
９５    被係止部（所定部）
９６    開口
９８    後被挟込部（被挟込部）
９９    前被挟込部（被挟込部）
１０１  ねじ穴部（ねじ穴）
１０２  ねじ
１０５  収容空間
１１１  証紙保持部
１１２  後挟込部（挟込部）
１１３  前挟込部（挟込部）
１１４  係止部
１１６  証紙
【要約】
【課題】証紙プレートがトレイ本体とトレイカバーとの間に連通する開口に挿入される構成において、証紙プレートが開口から抜き取られることを防止できる、遊技媒体トレイおよび遊技機を提供する。
【解決手段】トレイ本体２１とトレイカバー２２との間には、収容空間１０５が形成されている。トレイカバー２２には、収容空間１０５と外部とを連通させる開口９６が形成されている。トレイカバー２２における開口９６の周縁部分には、後被挟込部９８および前被挟込部９９が外側に向けて突設されている。証紙プレート２３の証紙保持部１１１が収容空間１０５に収容された状態で、証紙プレート２３の証紙保持部１１１と後挟込部１１２との間および証紙保持部１１１と前挟込部１１３との間に、それぞれ後被挟込部９８および前被挟込部９９が挟み込まれる。
【選択図】図４【図１】
0005453505.tif 000002
【図２】
0005453505.tif 000003
【図３】
0005453505.tif 000004
【図４】
0005453505.tif 000005
【図５】
0005453505.tif 000006
【図６】
0005453505.tif 000007
【図７】
0005453505.tif 000008
【図８】
0005453505.tif 000009
【図９】
0005453505.tif 000010
【図１０】
0005453505.tif 000011
【図１１】
0005453505.tif 000012
【図１２】
0005453505.tif 000013
【図１３】
0005453505.tif 000014
【図１４】
0005453505.tif 000015
【図１５】
0005453505.tif 000016
【図１６】
0005453505.tif 000017